(57)【特許請求の範囲】
【請求項１】
車両の荷室に装着されるケース体と、当該ケース体から突没自在にスライドするパネル体を備え、
前記パネル体は前記ケース体から突出方向に全出した状態で、先端部が上下方向に回動可能であり、
前記パネル体を前記ケース体にスライド収納する際に、
前記パネル体の先端部側が前記ケース体に対して斜め上方に回動するのを許容する逃げ部を前記ケース体に設けてあることを特徴とする多機能スロープ装置。
【請求項２】
前記ケース体は上面部に荷物の載置部を有することを特徴とする請求項１記載の多機能スロープ装置。
【請求項３】
前記ケース体は内部にスライド自在のスライド部材を有し、
前記スライド部材とパネル体の端部が回動自在に連結されており、
前記スライド部材がパネル体の突出方向に完全に移動しないと、前記パネル体が上下方向に回動できないように当該パネル体が前記ケース体に支持されていることを特徴とする請求項１又は２記載の多機能スロープ装置。
【請求項４】
前記パネル体が略水平状態に突出している状態では上面が平面デッキとして機能し、前記パネル体が全出し、先端部が地面に向けて回動した状態ではスロープとして機能することを特徴とする請求項１〜３のいずれかに記載の多機能スロープ装置。
【請求項５】
前記パネル体は複数のパネル部材が相互にスライド自在に連結されていることを特徴とする請求項１〜４のいずれかに記載の多機能スロープ装置。
【発明の詳細な説明】
【技術分野】
【０００１】
本発明は車両の荷室の有効利用を可能にしたスロープ装置に関する。
【背景技術】
【０００２】
車椅子等を乗降させない時にスロープを車室内側に倒伏させることで荷室として使用可能にしたものが従来から公知である（特許文献１，２）。
しかし、スロープを車室内側に倒伏させる構造にあっては、スロープを車室内側に倒した裏面に荷物等を載せるものであり、そのままの状態ではスロープを使うことができず、やはり荷物を一旦降ろす必要がある。
なお、特許文献３にはバスの床面下部から昇降口ステップ外側に引き出すことができるスロープ部材を開示するが、スロープとしか使用できないものである。
【先行技術文献】
【特許文献】
【０００３】
【特許文献１】特開２０１３−１４１８５６号公報
【特許文献２】特開２０１３−０６００６４号公報
【特許文献３】実用新案登録第２５８２６０１号公報
【発明の概要】
【発明が解決しようとする課題】
【０００４】
本発明は、車両の荷室の有効利用が可能な多機能スロープ装置の提供を目的とする。
【課題を解決するための手段】
【０００５】
本発明に係る多機能スロープ装置は、車両の荷室に装着されるケース体と、当該ケース体から突没自在にスライドするパネル体を備え、前記パネル体は前記ケース体から突出方向に全出した状態で、先端部が上下方向に回動可能になっていることを特徴とする。
ここで、前記ケース体は上面部に荷物の載置部を有するのが好ましい。
ケース体は、例えば車両の後部に設けられている荷室のフロアーに装着できる。
このようにすると、車両の荷室を荷室として有効利用しながらスロープ装置を使用することができる。
【０００６】
本発明においてパネル体の突出機構に制限はないが、例えば、前記ケース体は内部にスライド自在のスライド部材を有し、前記スライド部材とパネル体の端部が回動自在に連結されており、前記スライド部材がパネル体の突出方向に完全に移動しないと、前記パネル体が上下方向に回動できないように当該パネル体が前記ケース体に支持されている形態が例として挙げられる。
これにより、前記パネル体が略水平状態に突出している状態では上面が平面デッキとして機能し、前記パネル体が全出し、先端部が地面に向けて回動した状態ではスロープとして機能する。
ここで、前記パネル体は複数のパネル部材が相互にスライド自在に連結されていると、突出量を長くでき、スロープ面が緩やかになる。
本発明で、パネル体は概ね平面形状であればレール部等を有している形態も含まれる。
また、パネル体を前記ケース体にスライド収納する際に、前記パネル体の先端部側が前記ケース体に対して斜め上方に回動するのを許容する逃げ部を前記ケース体に設けてあってもよい。
このようにすると、パネル体をケース体に収納する際にパネル体の先端側を斜め上方まで持ち上げて、そのまま押し込むことで収納できる。
なお、ケース体にこの逃げ部を形成する方法としては、例えばケース体の上面部の先端部を切り欠く例が挙げられる。
【発明の効果】
【０００７】
本発明に係る多機能スロープ装置は、車両の荷室をそのまま荷室として利用可能な状態でパネル体をケース体から出し入れでき、水平状態ではテーブル状の平面デッキとなり、パネル体を完全に引き出して、スロープ面を形成することで車椅子等の昇降が可能になることから多機能を有する。
【図面の簡単な説明】
【０００８】
【図１】車両の荷室のフロアー部にスロープ装置を設けた状態を示し、（ａ）はパネル体をケース体に収納した状態、（ｂ）はパネル体を完全に引き出してスロープ状にした状態を示す。
【図２】ケース体の内部構造を模式的に示し、（ａ）はスライド部材がケース体の奥部側に後退した状態、（ｂ）はスライド部材がケース体の開口端部まで移動し、パネル体がスロープ面を形成した状態を示す。（ｃ）パネル体の先端部を斜め上方に向けて回動し、ケース体に収納する状態を示す。
【図３】パネル体が水平状態に維持されている例を示す。
【図４】ケース体の上面部先端部に逃げ部を形成した例を示し、（ｃ）にパネル体を収納する状態を示す。
【図５】実施例２において（ａ）はデッキ状態、（ｂ）は収納状態を示す。
【図６】実施例２におけるスロープ状態を示す。
【発明を実施するための形態】
【０００９】
本発明に係る多機能スロープ装置の構造例を以下、図面に基づいて説明するが本発明はこれに限定されない。
【００１０】
図１は、自動車（車両）の後部の荷室を模式的に示す。
本発明に係るスロープ装置１０はケース体１１と、このケース体に突没自在に収納されたパネル体１４とを備える。
ケース体１１は、上面部１１ａが荷物等を載置できるように概ね平面状の荷室として利用できれば限らずしも上面全体が平面状である必要はなく、また、フレーム状の枠体であってもよい。
ケース体１１は、自動車の後部荷室に後付けで装置固定してもよく、また、荷室のフロアー部に埋設固定してもよい。
ケース体を荷室フロアー部に埋設すると、上面がフロアーの床面と概ね面一になり、広く活用できる荷室となる。
【００１１】
ケース体１１の内部構造例を図２に示す。
ケース体１１は上面部１１ａと下面部１１ｃとの左右サイド部を側面部１１ｄ，１１ｅでつないだケース状になっており、内部には上面部１１ａの内側と下面部１１ｃとの内側に沿って、前後方向にスライド移動するスライド部材１２を有する。
ケース体１１の内部の収納部１１ｂにはパネル体１４が収納される。
パネル体１４はケース体１１の開口端部１１ｆから外側に突出可能になっており、突出先端部とは反対側になる後端部がスライド部材１２と上下方向回動自在に軸着部１３にて軸着されている。
【００１２】
スライド部材には図示を省略したが、パネル体１４を収納部１１ｂに完全に収納した状態、パネル体１４の先端部側を途中まで突出させた状態、及びパネル体１４を完全に突出させた状態をロックするためのロック機構をケース体１１との間に設けてある。
パネル体１４が完全にケース体の開口部から突出していない状態では、図２（ａ）に示すようにパネル体１４の下面部がケース体１１の下面部１１ｃに支持され、水平状態が維持され、図２（ｂ）に示すようにスライド部材１２がケース体１１の開口端部１１ｆまで完全に移動すると、パネル体１４の先端部が軸着部１３を支点にして、上下方向に回動する。
この際に本実施例では、パネル体１４が２〜３枚の複数パネル１４ａ，１４ｂ，１４ｃが相互にスライド自在に連結されており、先端部がスライド伸長し地面（ＧＬ）に接地し、スロープ面を形成する。
本実施例ではパネル１４ａ，１４ｂ，１４ｃの左右サイド部にレール部１１４ａ，１１４ｂ，１１４ｃを形成し、このレール部を介して相互に摺動嵌合させた例になっている。
本発明は、複数のパネルがスライド連結されていれば、このようなレール構造に限定されるものではない。
また、ベースパネルとなる第１パネル１４ａの上面から順次、第２パネル，第３パネルがスライドするように連結された場合には、ケース体の上面部１１ａの端部と、第１パネル１４ａの上面との間に段差を解消するフラッパーを設けてもよい。
ケース体１１の開口端部１１ｆと第１パネル１４ａとの間の段差を小さくする手段としては、第１パネル１４ａの下面側に順次第２パネル１４ｂ、第３パネル１４ｃをスライド連結してもよい。
この場合に左右のレール部１１４ａを設けないことで更に上記段差が小さくなる。
図３にパネル体１４を構成する第１パネル１４ａをケース体１１から途中まで引き出した状態を示す。
この状態では第１パネル１４ａの下面がケース体１１の下面部１１ｃに支持されているので水平状態が維持され、テーブル上のデッキ状態にある。
これにより、例えばアウトドアにおけるテーブルとして利用できる。
また、水平状態を安定させるために図示を省略したが、パネル１４ｂ，１４ｃ等の裏面から地面上に立設する支柱を起立可能に設けてもよく、また、パネル１４ｂ，１４ｃの裏面と地面との間に台座を挿入してもよい。
パネル体１４の第１パネル後端部が上下方向に回動自在になっているので、図２（ｃ）に示すようにパネルの先端部を持ち上げて、やや斜め上方に回動させると、スライドパネルを縮小収納しやすい。
これにより、スロープ状態からパネル体を収納する際に腰をかがめた低い姿勢をとる必要がなく、立った姿勢で収納操作ができる。
【００１３】
図４〜図６は、実施例２を示す。
なお、図４〜図６のうち、実施例１との相違点を説明する。
上記に記載したように、パネルの先端部をやや斜め上方に回動させて押し込むことができると、立ったままの姿勢で収納しやすいことから、図４に示すようにケース体１１の上面部１１ａの開口先端部側を下面部より寸法ｄだけ切り欠いて、逃げ部１１ｇを形成した例である。
このようにすると、図４（ｃ）に示すようにパネルの先端部をｆ１の方向、斜め上方に傾けたままｆ２の方向にスライド及びケース体１１の収納方向に押し込むのをこの逃げ部１１ｇがパネル体との干渉を防ぐ。
なお、この逃げ部１１ｇの先端部は、内側がＲ形状部１１１ｇにしてあり、パネル体を収納する際に摺動しやすくなっている。
また、逃げ部は、パネル体が斜め上方に回動するのを許容するものであれば、この切り欠き形状に限定されるものではなく、例えば弾性片やフラッパーにしてもよい。
【符号の説明】
【００１４】
１        車両
２        荷室
１０      スロープ装置
１１      ケース体
１１ａ    上面部
１１ｂ    収納部
１１ｇ    逃げ部
１２      スライド部材
１３      回動連結部
１４      パネル体
【図１】
0006758117.tif 000002
【図２】
0006758117.tif 000003
【図３】
0006758117.tif 000004
【図４】
0006758117.tif 000005
【図５】
0006758117.tif 000006
【図６】
0006758117.tif 000007